【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
安全カテーテルデバイスであって、
カテーテルハブ、および、このカテーテルハブから延出されたカテーテルチューブと；
尖鋭先端で終端しているニードルシャフトを備えたニードルと；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともにこれによりこの第１状態においては前記ニードルをニードル経路に沿って移動可能なものとしさらに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においてはこの部分が前記ニードル経路を横断するように延出されこれにより前記ニードルの先端に対向して前記ニードル経路を通行阻止し得るよう構成された部分を有した第２壁と、
前記第１壁と前記第２壁とを連結しているストラットであるとともに前記第１壁と前記第２壁との間に延在するエッジを有したストラットと、
を備え、
前記スプリング部材が、前記第１壁を起点として延出されているとともに、前記ストラットの前記エッジを超えて前記エッジに対して隣接したところにまで延出され、さらに、当接面に対して動作可能に係合しており、これにより、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とする安全カテーテルデバイス。
【請求項２】
請求項１記載の安全カテーテルデバイスにおいて、
さらに、前記ニードルを貫通させながら前記ニードルをスライド的に受領し得るよう構成されたハウジングを具備し、
前記クリップと前記スプリング部材とが、前記ハウジングの内部に収容され、
さらに、前記ハウジングの内部に配置されたニードル支持体を具備し、
このニードル支持体が、前記ニードルの前記第１状態において前記ニードルシャフトが規定する円筒形状に対する横方向平面に対して隣接して配置されていることを特徴とする安全カテーテルデバイス。
【請求項３】
請求項２記載の安全カテーテルデバイスにおいて、
前記ニードル支持体が、前記ハウジングに対して固定された突起上に形成されていることを特徴とする安全カテーテルデバイス。
【請求項４】
請求項１記載の安全カテーテルデバイスにおいて、
さらに、前記ニードルに対して固定的に連結されたニードルハブを具備し、
このニードルハブが、前記ニードルの前記第１状態においては前記クリップの対向部分に対して位置合わせされるサイズとされなおかつ前記ニードルの前記第２状態においては前記ニードルから離間されるサイズとされたシュラウドを備え、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項５】
請求項１記載の安全カテーテルデバイスにおいて、
さらに、前記ニードルの前記第１状態において前記ニードルシャフトが規定する円筒形状に対する横方向平面に対して隣接して配置されたニードル支持体を具備していることを特徴とする安全カテーテルデバイス。
【請求項６】
請求項２，３，または，５記載の安全カテーテルデバイスにおいて、
前記ニードル支持体が、前記ニードルシャフトの一部をスライド的に受領し得るようなサイズとされた座を備えていることを特徴とする安全カテーテルデバイス。
【請求項７】
請求項２，３，５，または，６記載の安全カテーテルデバイスにおいて、
前記ニードル支持体と前記クリップの前記第２壁とが、前記クリップの前記第１状態においては、前記ニードルシャフトに関して互いに反対側に配置されていることを特徴とする安全カテーテルデバイス。
【請求項８】
請求項１記載の安全カテーテルデバイスにおいて、
さらに、前記ニードルを貫通させながら前記ニードルをスライド的に受領し得るよう構成されたハウジングを具備し、
前記クリップと前記スプリング部材とが、前記ハウジングの内部において連結され、
前記ハウジングが、前記当接面を形成する内壁を備えていることを特徴とする安全カテーテルデバイス。
【請求項９】
請求項１〜８のいずれか１項に記載の安全カテーテルデバイスにおいて、
前記クリップの前記第２壁の前記部分が、スタイラスを形成していることを特徴とする安全カテーテルデバイス。
【請求項１０】
請求項１〜９のいずれか１項に記載の安全カテーテルデバイスにおいて、
前記クリップの前記第２壁が、前記クリップの前記第２状態においては前記ニードル先端を閉じ込め得るよう構成されたリップを備えていることを特徴とする安全カテーテルデバイス。
【請求項１１】
請求項１〜１０のいずれか１項に記載の安全カテーテルデバイスにおいて、
前記ストラットが、前記第１壁に対して９０°未満という形成角度でもって前記クリップの前記第１壁から延出されていることを特徴とする安全カテーテルデバイス。
【請求項１２】
請求項１〜１１のいずれか１項に記載の安全カテーテルデバイスにおいて、
前記クリップの前記第１壁が、前記クリップの前記第１状態においては中心を超えて傾斜していることを特徴とする安全カテーテルデバイス。
【請求項１３】
請求項１〜１２のいずれか１項に記載の安全カテーテルデバイスにおいて、
前記ストラットの前記エッジが、内方エッジであることを特徴とする安全カテーテルデバイス。
【請求項１４】
請求項１〜１３のいずれか１項に記載の安全カテーテルデバイスにおいて、
前記クリップが、さらに、前記第１壁と前記第２壁とを連結する第２ストラットを備え、
前記スプリング部材が、前記第２ストラットのエッジを超えて延在していることを特徴とする安全カテーテルデバイス。
【請求項１５】
請求項１４記載の安全カテーテルデバイスにおいて、
前記２つのストラットのエッジどうしが協働することにより、それらエッジどうしの間に開口を形成しており、
前記スプリング部材が、その開口を超えて延在していることを特徴とする安全カテーテルデバイス。
【請求項１６】
請求項１〜１５のいずれか１項に記載の安全カテーテルデバイスにおいて、
前記スプリング部材が、前記クリップの前記第１壁に対して動作可能に関連する第１端部を備えていることを特徴とする安全カテーテルデバイス。
【請求項１７】
請求項１〜１６のいずれか１項に記載の安全カテーテルデバイスにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とする安全カテーテルデバイス。
【請求項１８】
請求項１７記載の安全カテーテルデバイスにおいて、
さらに、前記ニードルを貫通させながら前記ニードルをスライド的に受領し得るよう構成されたハウジングを具備し、
前記クリップと前記スプリング部材と前記棚とが、前記ハウジングの内部に収容されていることを特徴とする安全カテーテルデバイス。
【請求項１９】
安全カテーテルデバイスであって、
カテーテルハブ、および、このカテーテルハブから延出されたカテーテルチューブと；
尖鋭先端で終端しているニードルシャフトを備えたニードルと；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においてはこの開口の内部に前記ニードルシャフトを把持し得るよう構成された開口を有した剛直な第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットであるとともに、前記第１壁に対して９０°未満という形成角度でもって前記クリップの前記第１壁から延出されているストラットであり、さらに、前記形成角度が前記第１状態と前記第２状態との双方において同じとされたストラットと、
を備え、
前記スプリング部材が、前記第１壁に対して連結されたものであって、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とする安全カテーテルデバイス。
【請求項２０】
請求項１９記載の安全カテーテルデバイスにおいて、
前記ストラットが、前記ニードルシャフトに向けて曲げられていることを特徴とする安全カテーテルデバイス。
【請求項２１】
請求項１９または２０記載の安全カテーテルデバイスにおいて、
前記形成角度が、８３°〜８７°という範囲とされていることを特徴とする安全カテーテルデバイス。
【請求項２２】
請求項２１記載の安全カテーテルデバイスにおいて、
前記形成角度が、８３°〜８７°という範囲とされていることを特徴とする安全カテーテルデバイス。
【請求項２３】
請求項１９〜２２のいずれか１項に記載の安全カテーテルデバイスにおいて、
前記クリップの前記第１壁が、前記クリップの前記第１状態においては中心を超えて傾斜していることを特徴とする安全カテーテルデバイス。
【請求項２４】
請求項１９〜２３のいずれか１項に記載の安全カテーテルデバイスにおいて、
さらに、前記ニードルを貫通させながら前記ニードルをスライド的に受領し得るよう構成されたハウジングを具備し、
前記クリップと前記スプリング部材とが、前記ハウジングの内部に収容され、
さらに、前記ハウジングの内部に配置されたニードル支持体を具備し、
このニードル支持体が、前記ニードルの前記第１状態において前記ニードルシャフトが規定する円筒形状に対する横方向平面に対して隣接して配置されていることを特徴とする安全カテーテルデバイス。
【請求項２５】
請求項２４記載の安全カテーテルデバイスにおいて、
前記ニードル支持体が、前記ハウジングに対して固定された突起上に形成されていることを特徴とする安全カテーテルデバイス。
【請求項２６】
請求項１９記載の安全カテーテルデバイスにおいて、
さらに、前記ニードルに対して固定的に連結されたニードルハブを具備し、
このニードルハブが、前記ニードルの前記第１状態においては前記クリップの対向部分に対して位置合わせされるサイズとされなおかつ前記ニードルの前記第２状態においては前記ニードルから離間されるサイズとされたシュラウドを備え、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項２７】
請求項１９〜２３のいずれか１項に記載の安全カテーテルデバイスにおいて、
さらに、ニードル支持体を具備し、
このニードル支持体が、前記ニードルの前記第１状態において前記ニードルシャフトが規定する円筒形状に対する横方向平面に対して隣接して配置されていることを特徴とする安全カテーテルデバイス。
【請求項２８】
請求項２４，２５，または，２７記載の安全カテーテルデバイスにおいて、
前記ニードル支持体が、前記ニードルシャフトの一部をスライド的に受領し得るようなサイズとされた座を備えていることを特徴とする安全カテーテルデバイス。
【請求項２９】
請求項２４，２５，２７，または，２８記載の安全カテーテルデバイスにおいて、
前記ニードル支持体と前記クリップの前記第２壁とが、前記クリップの前記第１状態においては、前記ニードルシャフトに関して互いに反対側に配置されていることを特徴とする安全カテーテルデバイス。
【請求項３０】
請求項１９〜２９のいずれか１項に記載の安全カテーテルデバイスにおいて、
前記クリップの前記第２壁の前記部分が、スタイラスを形成していることを特徴とする安全カテーテルデバイス。
【請求項３１】
請求項１９〜３０のいずれか１項に記載の安全カテーテルデバイスにおいて、
前記クリップの前記第２壁が、前記クリップの前記第２状態においては前記ニードル先端を閉じ込め得るよう構成されたリップを備えていることを特徴とする安全カテーテルデバイス。
【請求項３２】
請求項１９〜３１のいずれか１項に記載の安全カテーテルデバイスにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とする安全カテーテルデバイス。
【請求項３３】
請求項３２記載の安全カテーテルデバイスにおいて、
さらに、前記ニードルを貫通させながら前記ニードルをスライド的に受領し得るよう構成されたハウジングを具備し、
前記クリップと前記スプリング部材と前記棚とが、前記ハウジングの内部に収容されていることを特徴とする安全カテーテルデバイス。
【請求項３４】
安全カテーテルデバイスであって、
カテーテルハブ、および、このカテーテルハブから延出されたカテーテルチューブと；
尖鋭先端で終端しているニードルシャフトを備えたニードルと；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においてはこの開口の内部に前記ニードルシャフトを把持し得るよう構成された開口を有した剛直な第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
を備え、
前記クリップの前記第１壁が、前記クリップの前記第１状態においては中心を超えて第１の向きに傾斜しており、さらに、前記クリップの前記第２状態においては前記第１の向きとは反対向きの第２の向きに傾斜しており、
前記スプリング部材が、前記第１壁に対して連結されたものであって、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とする安全カテーテルデバイス。
【請求項３５】
安全カテーテルデバイスであって、
カテーテルハブ、および、このカテーテルハブから延出されたカテーテルチューブと；
尖鋭先端で終端しているニードルシャフトを備えたニードルと；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
を備え、
前記スプリング部材が、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備え、
さらに、ニードル支持体を具備し、
このニードル支持体が、前記ニードルの前記第１状態において前記ニードルシャフトが規定する円筒形状に対する横方向平面に対して隣接して固定的に配置され、
これにより、前記ニードルの少なくとも前記第２状態における前記ニードルの撓みが制限されていることを特徴とする安全カテーテルデバイス。
【請求項３６】
請求項３５記載の安全カテーテルデバイスにおいて、
前記ニードル支持体が、前記クリップの前記第２状態においては、前記第１壁と前記第２壁との間に配置されていることを特徴とする安全カテーテルデバイス。
【請求項３７】
請求項３５または３６記載の安全カテーテルデバイスにおいて、
さらに、前記ニードル支持体と関連した撓み制限リブを具備していることを特徴とする安全カテーテルデバイス。
【請求項３８】
請求項３５〜３７のいずれか１項に記載の安全カテーテルデバイスにおいて、
さらに、前記ニードルを貫通させながら前記ニードルをスライド的に受領し得るよう構成されたハウジングを具備し、
前記クリップと前記スプリング部材とが、前記ハウジングの内部に収容され、
前記ニードル支持体が、前記ハウジングに対して固定された突起上に形成されていることを特徴とする安全カテーテルデバイス。
【請求項３９】
請求項３８記載の安全カテーテルデバイスにおいて、
さらに、前記突起の撓みを制限し得るよう構成された撓み制限リブを具備していることを特徴とする安全カテーテルデバイス。
【請求項４０】
請求項３９記載の安全カテーテルデバイスにおいて、
前記撓み制限リブが、前記突起と関連していることを特徴とする安全カテーテルデバイス。
【請求項４１】
請求項３９または４０記載の安全カテーテルデバイスにおいて、
前記撓み制限リブが、前記ハウジングと関連していることを特徴とする安全カテーテルデバイス。
【請求項４２】
請求項３５〜４１のいずれか１項に記載の安全カテーテルデバイスにおいて、
前記ニードル支持体が、前記ニードルシャフトの一部をスライド的に受領し得るようなサイズとされた座を備えていることを特徴とする安全カテーテルデバイス。
【請求項４３】
請求項３５〜４２のいずれか１項に記載の安全カテーテルデバイスにおいて、
前記ニードル支持体と前記クリップの前記第２壁とが、前記クリップの前記第１状態においては、前記ニードルシャフトに関して互いに反対側に配置されていることを特徴とする安全カテーテルデバイス。
【請求項４４】
請求項３５記載の安全カテーテルデバイスにおいて、
さらに、前記ニードルに対して固定的に連結されたニードルハブを具備し、
このニードルハブが、前記ニードルの前記第１状態においては前記クリップの対向部分に対して位置合わせされるサイズとされなおかつ前記ニードルの前記第２状態においては前記ニードルから離間されるサイズとされたシュラウドを備え、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項４５】
請求項３５〜４４のいずれか１項に記載の安全カテーテルデバイスにおいて、
前記クリップの前記第２壁の前記部分が、スタイラスを形成していることを特徴とする安全カテーテルデバイス。
【請求項４６】
請求項３５〜４５のいずれか１項に記載の安全カテーテルデバイスにおいて、
前記クリップの前記第２壁が、前記クリップの前記第２状態においては前記ニードル先端を閉じ込め得るよう構成されたリップを備えていることを特徴とする安全カテーテルデバイス。
【請求項４７】
請求項３５〜４６のいずれか１項に記載の安全カテーテルデバイスにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とする安全カテーテルデバイス。
【請求項４８】
請求項４７記載の安全カテーテルデバイスにおいて、
さらに、前記ニードルを貫通させながら前記ニードルをスライド的に受領し得るよう構成されたハウジングを具備し、
前記クリップと前記スプリング部材と前記棚とが、前記ハウジングの内部に収容されていることを特徴とする安全カテーテルデバイス。
【請求項４９】
安全カテーテルデバイスであって、
カテーテルハブ、および、このカテーテルハブから延出されたカテーテルチューブと；
尖鋭先端で終端しているニードルシャフトを備えたニードルと；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においては前記ニードルシャフトを把持し得るよう構成された開口を有した剛直な第１壁と、
前記第１状態においては前記ニードルシャフトに対して当接し得るよう構成されているとともに前記第２状態においては前記ニードルの先端に対向し得るよう構成された第２壁と、
前記第１壁と前記第２壁とを連結しているストラットと、
を備え、
前記第２壁が、前記第１壁に対して全体的に平行とされかつ前記第１壁からは離間して配置されているとともに、全体的にＬ字形状とされていて、その自由端のところに一体型のリップを形成し、
前記リップが、前記クリップの前記第２状態においては前記ニードル先端を閉じ込めるよう機能し、
前記スプリング部材が、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とする安全カテーテルデバイス。
【請求項５０】
請求項４９記載の安全カテーテルデバイスにおいて、
前記リップが、前記第１壁へと向かう向きに延出されていることを特徴とする安全カテーテルデバイス。
【請求項５１】
請求項４９または５０記載の安全カテーテルデバイスにおいて、
前記リップが、前記クリップの前記第１状態においては前記ニードルシャフトの長手方向軸線に関する一側方に位置しており、前記クリップの前記第２状態においては前記長手方向軸線に関する他の側方に位置していることを特徴とする安全カテーテルデバイス。
【請求項５２】
請求項４９記載の安全カテーテルデバイスにおいて、
さらに、前記ニードルに対して固定的に連結されたニードルハブを具備し、
このニードルハブが、前記ニードルの前記第１状態においては前記クリップの対向部分に対して位置合わせされるサイズとされなおかつ前記ニードルの前記第２状態においては前記ニードルから離間されるサイズとされたシュラウドを備え、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項５３】
請求項４９〜５２のいずれか１項に記載の安全カテーテルデバイスにおいて、
前記クリップの前記第２壁の前記リップが、スタイラスを備えていることを特徴とする安全カテーテルデバイス。
【請求項５４】
請求項４９〜５３のいずれか１項に記載の安全カテーテルデバイスにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とする安全カテーテルデバイス。
【請求項５５】
請求項５４記載の安全カテーテルデバイスにおいて、
さらに、前記ニードルを貫通させながら前記ニードルをスライド的に受領し得るよう構成されたハウジングを具備し、
前記クリップと前記スプリング部材と前記棚とが、前記ハウジングの内部に収容されていることを特徴とする安全カテーテルデバイス。
【請求項５６】
安全カテーテルデバイスであって、
カテーテルハブ、および、このカテーテルハブから延出されたカテーテルチューブと；
ニードルハブ、および、このニードルハブから延出されたニードルであるとともに尖鋭先端で終端しているニードルシャフトを備えたニードルと；
ニードルガードであるとともに、このニードルガードによって前記ニードル先端が保護されていないニードル第１状態とこのニードルガードによって前記ニードル先端が保護されているニードル第２状態との間にわたってこのニードルガードに対して前記ニードルを移行させ得るものとされたニードルガードと；
前記ニードルハブに関連して設けられた分離型のシュラウドであるとともに、前記ニードル第１状態においては前記ニードルガードの対向部分に対して位置合わせされなおかつ前記ニードルガードの操作部分を露出させるサイズとされなおかつ前記ニードル第２状態においては前記ニードルガードから離間される分離型のシュラウドと；
少なくとも前記カテーテルチューブおよび前記ニードル先端を囲んでいるとともに、前記分離型のシュラウドの少なくとも一部に対して位置合わせされるシースと；
を具備していることを特徴とする安全カテーテルデバイス。
【請求項５７】
請求項５６記載の安全カテーテルデバイスにおいて、
前記分離型のシュラウドが、前記ニードル第１状態においては前記ニードルガードに対して摩擦係合していることを特徴とする安全カテーテルデバイス。
【請求項５８】
請求項５６または５７記載の安全カテーテルデバイスにおいて、
前記露出された操作部分が、フィンガータブを備えていることを特徴とする安全カテーテルデバイス。
【請求項５９】
請求項５６記載の安全カテーテルデバイスにおいて、
前記ニードルガードが、前記ニードルを貫通させながら前記ニードルをスライド的に受領し得るよう構成されたハウジングを備え、
前記分離型のシュラウドが、前記ニードル第１状態においては前記ハウジングの対向部分に対して位置合わせされなおかつ前記ハウジングの操作部分を露出させなおかつ前記ニードル第２状態においては前記ハウジングから離間されることを特徴とする安全カテーテルデバイス。
【請求項６０】
請求項５６〜５９のいずれか１項に記載の安全カテーテルデバイスにおいて、
前記分離型のシュラウドが、一対をなす対向壁セグメントによって形成されていることを特徴とする安全カテーテルデバイス。
【請求項６１】
請求項６０記載の安全カテーテルデバイスにおいて、
前記対向壁セグメントが、円弧形状とされていることを特徴とする安全カテーテルデバイス。
【請求項６２】
請求項５６〜６１のいずれか１項に記載の安全カテーテルデバイスにおいて、
前記ニードルガードが、前記ニードル先端を保護し得る機能部材を備えていることを特徴とする安全カテーテルデバイス。
【請求項６３】
請求項６２記載の安全カテーテルデバイスにおいて、
前記ニードルガードが、前記ニードルを貫通させながら前記ニードルをスライド的に受領し得るよう構成されたハウジングを備え、
前記機能部材が、前記ハウジングの内部に収容されていることを特徴とする安全カテーテルデバイス。
【請求項６４】
安全カテーテルデバイスであって、
カテーテルハブ、および、このカテーテルハブから延出されたカテーテルチューブと；
尖鋭先端で終端しているニードルシャフトを備えたニードルと；
棚と；
クリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
前記第１壁から延出されたヒールと、
を備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっており、
前記スプリング部材が、前記第１壁を起点として延出されているとともに、前記ストラットのエッジを超えて延出され、さらに、当接面に対して動作可能に係合しており、これにより、前記クリップを前記第２状態に向けて付勢し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を露出させた状態で前記カテーテルチューブを通って延在しているような第１状態と、
前記ニードル先端が前記クリップの前記第２壁を超える程度にまで前記カテーテルチューブから引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とする安全カテーテルデバイス。
【請求項６５】
請求項６４記載の安全カテーテルデバイスにおいて、
さらに、前記ニードルを貫通させながら前記ニードルをスライド的に受領し得るよう構成されたハウジングを具備し、
前記クリップと前記スプリング部材と前記棚とが、前記ハウジングの内部に収容されていることを特徴とする安全カテーテルデバイス。
【請求項６６】
請求項６５記載の安全カテーテルデバイスにおいて、
前記棚が、前記ハウジングと一体部材とされていることを特徴とする安全カテーテルデバイス。
【請求項６７】
安全カテーテルデバイスであって、
内表面と、この内表面から径方向内向きに突出する全体的に環状のリブと、を備えたカテーテルハブと；
このカテーテルハブの先端部から延出されているカテーテルチューブと；
ニードルハブと；
前記ニードルハブを起点として延出されているとともに尖鋭先端で終端しているニードルシャフトを備えたニードルと；
前記カテーテルハブに対して着脱可能に連結されるとともに、前記ニードルの前記先端が露出された第１状態と前記ニードルの前記先端が保護された第２状態との間にわたって前記ニードルシャフトを貫通させながらそのニードルシャフトをスライド的に受領し得るよう構成されたハウジングと；
を具備し、
前記ハウジングが、先端部に向けて先端向きに延出された一対をなす協働部材を備え、
これら協働部材が、これら協働部材の間に通路を形成し、
この通路の一部が、前記両先端部の間に延在しており、
長手方向に沿っての公称的な前記通路のサイズが、この通路を通して前記ニードルシャフトを自由に受領し得るようなサイズとされ、
前記一対の協働部材のうちの少なくとも一方が、戻り止め部材を備え、
この戻り止め部材が、前記カテーテルハブの前記リブと協働することにより、前記ハウジングを前記カテーテルハブに対して回転可能かつ着脱可能に保持し、
前記戻り止め部材が、前記協働部材の少なくとも一方を押圧することによって前記通路を狭めることにより、前記リブから解放されるものとされ、
前記通路内における前記ニードルシャフトの存在によって、前記押圧が制限され、これにより、前記ハウジングの解放が禁止されており、
前記第２状態においては、前記ニードルハブが、前記ハウジングから離間されているとともに、前記ニードルシャフトを介してのみ前記ハウジングに対して連結されていることを特徴とする安全カテーテルデバイス。
【請求項６８】
請求項６７記載の安全カテーテルデバイスにおいて、
前記協働部材の各々が、前記カテーテルハブの前記リブと協働し得るよう構成された戻り止め部材を備えていることを特徴とする安全カテーテルデバイス。
【請求項６９】
請求項６８記載の安全カテーテルデバイスにおいて、
前記戻り止め部材の各々が、それぞれ対応する前記協働部材の先端部を構成していることを特徴とする安全カテーテルデバイス。
【請求項７０】
請求項６８または６９記載の安全カテーテルデバイスにおいて、
前記戻り止め部材どうしが協働することにより、環状リングの複数のセグメントが形成されるようになっていることを特徴とする安全カテーテルデバイス。
【請求項７１】
請求項６７記載の安全カテーテルデバイスにおいて、
前記戻り止め部材が、環状リングのセグメントを形成していることを特徴とする安全カテーテルデバイス。
【請求項７２】
請求項６７〜７１のいずれか１項に記載の安全カテーテルデバイスにおいて、
前記協働部材が、スプリットシリンダを形成していることを特徴とする安全カテーテルデバイス。
【請求項７３】
請求項６７〜７２のいずれか１項に記載の安全カテーテルデバイスにおいて、
前記リブが、連続的なものとされていることを特徴とする安全カテーテルデバイス。
【請求項７４】
請求項６７〜７３のいずれか１項に記載の安全カテーテルデバイスにおいて、
前記リブが、不連続なものとされていて、前記戻り止め部材の周縁方向幅よりも狭い隙間を有していることを特徴とする安全カテーテルデバイス。
【請求項７５】
請求項６７〜７４のいずれか１項に記載の安全カテーテルデバイスにおいて、
前記協働部材の少なくとも一方が、前記通路のサイズを規定する内部リッジを備えていることを特徴とする安全カテーテルデバイス。
【請求項７６】
請求項７５記載の安全カテーテルデバイスにおいて、
前記協働部材の各々が、前記通路のサイズを規定する内部リッジを備えていることを特徴とする安全カテーテルデバイス。
【請求項７７】
請求項６７〜７６のいずれか１項に記載の安全カテーテルデバイスにおいて、
前記ニードルシャフトが、自身の長手方向に沿って一定の直径を有し、
前記通路のサイズが、前記ニードルシャフトの直径に密接に対応していることを特徴とする安全カテーテルデバイス。
【請求項７８】
請求項６７〜７７のいずれか１項に記載の安全カテーテルデバイスにおいて、
前記カテーテルハブの前記内表面が、基端側テーパー部分を有し、
前記リブが、前記テーパー部分よりも先端側に配置されていることを特徴とする安全カテーテルデバイス。
【請求項７９】
請求項７８記載の安全カテーテルデバイスにおいて、
前記テーパー部分が、前記戻り止め部材のところの最大外径と比較してそれ以上の大きさとされた最小内径を有していることを特徴とする安全カテーテルデバイス。
【請求項８０】
請求項６７〜７９のいずれか１項に記載の安全カテーテルデバイスにおいて、
さらに、前記ハウジング内に、前記ニードル先端が前記ハウジング内にある時に前記ニードルの前記先端を保護し得る機能部材を備えていることを特徴とする安全カテーテルデバイス。
【請求項８１】
請求項６７〜８０のいずれか１項に記載の安全カテーテルデバイスにおいて、
前記ニードルハブが、シュラウドを備え、
このシュラウドが、
前記ニードルが前記ハウジングと前記カテーテルハブと前記カテーテルチューブとを通って延在していて前記ニードル先端が前記カテーテルチューブから突出している時には、前記ハウジングの対向部分に対して位置合わせされ得るようなサイズとされ、
そうでない時には、前記カテーテルチューブから離間され得るサイズとされ、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項８２】
請求項６７〜８０のいずれか１項に記載の安全カテーテルデバイスにおいて、
前記ニードルハブと前記ハウジングとが、協働構造を備え、
この協働構造が、前記ニードルハブと前記ハウジングとが互いに隣接配置されている時には、前記ニードルハブと前記ハウジングとを相対回転不可能に保持することを特徴とする安全カテーテルデバイス。
【請求項８３】
請求項６７〜８２のいずれか１項に記載の安全カテーテルデバイスにおいて、
さらに、前記ハウジングの内部に配置されたニードル支持体を具備し、
このニードル支持体が、前記ニードルシャフトが規定する円筒形状に対する横方向平面に対して隣接して配置されていることを特徴とする安全カテーテルデバイス。
【請求項８４】
請求項６７〜８３のいずれか１項に記載の安全カテーテルデバイスにおいて、
前記協働部材が、横断面形状において円弧形状とされているとともに、前記ニードルに関連したサイズの内部リッジを備えていることを特徴とする安全カテーテルデバイス。
【請求項８５】
請求項１〜４８のいずれか１項に記載の、または、請求項４９〜５５のいずれか１項に記載の、安全カテーテルデバイスにおいて、
さらに、前記ニードルを貫通させながら前記ニードルをスライド的に受領し得るよう構成されたハウジングを具備し、
前記クリップと前記スプリング部材とが、前記ハウジングの内部に収容されていることを特徴とする安全カテーテルデバイス。
【請求項８６】
請求項５９，６０〜６２のいずれか１項（請求項５９に従属したもの），６５，６６，または，８５に記載の安全カテーテルデバイスにおいて、
前記ハウジングが、前記カテーテルハブに対して着脱可能に連結されていることを特徴とする安全カテーテルデバイス。
【請求項８７】
請求項８６記載の安全カテーテルデバイスにおいて、
さらに、前記ハウジングを前記カテーテルハブに対して着脱可能に連結させ得るよう、前記ハウジングから延出されたダックビルを具備していることを特徴とする安全カテーテルデバイス。
【請求項８８】
請求項８７記載の安全カテーテルデバイスにおいて、
さらに、前記ニードルに対して固定的に連結されたニードルハブを具備し、
このニードルハブが、前記ニードルの前記第１状態においては前記クリップの対向部分に対して位置合わせされるサイズとされなおかつ前記ニードルの前記第２状態においては前記ニードルから離間されるサイズとされたシュラウドを備え、
さらに、前記カテーテルチューブと前記ニードル先端とを少なくとも包囲するとともに、前記シュラウドの少なくとも一部に対して位置合わせされるシースを具備していることを特徴とする安全カテーテルデバイス。
【請求項８９】
請求項８７記載の安全カテーテルデバイスにおいて、
さらに、前記ニードルに対して固定的に連結されたニードルハブを具備し、
このニードルハブが、前記ニードルの前記第１状態においては、前記ハウジングに対して隣接配置され、
前記ニードルハブと前記ハウジングとが、前記ニードルの前記第１状態において、前記ニードルハブと前記ハウジングとを相対回転不可能に保持するための協働構造を備えていることを特徴とする安全カテーテルデバイス。
【請求項９０】
請求項１〜５５のいずれか１項に記載の、または、請求項６４〜６６のいずれか１項に記載の、安全カテーテルデバイスにおいて、
前記スプリング部材が、リーフスプリングであることを特徴とする安全カテーテルデバイス。
【請求項９１】
請求項６２，６３，または，９０記載の安全カテーテルデバイスにおいて、
前記機能部材が、リーフスプリングであることを特徴とする安全カテーテルデバイス。
【請求項９２】
広範囲のゲージのニードルに関してダックビル解放機構の解放力を一様なものとするための方法であって、
ハウジングのノーズ部から延出されているとともにカテーテルハブ内に受領され得るようなサイズとされた一対をなす全体的に円弧形横断面形状の連結部材を準備し；
各連結部材に、使用対象をなすニードルのゲージに関連した径方向深さを有した内向きに突出する内部リッジを設け、この場合、所定範囲にわたってのクリアランスを、リッジと、これらリッジどうしの間に延在するニードルと、の間の間隔として決定する；
ことを特徴とする方法。
【請求項９３】
ニードルプロテクタであって、
ニードルを貫通させながらこのニードルをスライド的に受領し得るよう構成されこれによりニードルをニードル経路に沿って移動可能なものとするとともに、当接面を備えた、ハウジングと；
このハウジング内に配置されたクリップと；
スプリング部材と；
を具備し、
前記クリップが、
このクリップの第１状態においては前記ニードル経路に沿って前記ニードルのニードルシャフトを貫通させつつニードルシャフトをスライド的に受領し得るよう構成された開口であるとともに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においてはこの部分が前記ニードル経路を横断するように延出されこれにより前記ニードルの先端に対向して前記ニードル経路を通行阻止し得るよう構成された部分を有した第２壁と、
前記第１壁と前記第２壁とを連結しているストラットであるとともに前記第１壁と前記第２壁との間に延在するエッジを有したストラットと、
を備え、
前記スプリング部材が、前記第１壁を起点として延出されているとともに、前記ストラットの前記エッジを超えて前記エッジに対して隣接したところにまで延出され、さらに、当接面に対して動作可能に係合しており、これにより、前記クリップを前記第２状態に向けて付勢していることを特徴とするニードルプロテクタ。
【請求項９４】
請求項９３記載のニードルプロテクタにおいて、
前記ハウジングが、前記当接面を形成する内壁を備えていることを特徴とするニードルプロテクタ。
【請求項９５】
請求項９３または９４記載のニードルプロテクタにおいて、
さらに、ニードルハブ、および、このニードルハブから延出されたニードルであるとともに尖鋭先端で終端しているニードルシャフトを備えたニードル、を具備し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を前記ハウジングから露出させた第１状態と、
前記ニードル先端が前記クリップの前記第２壁を超える程度にまで前記ハウジング内へと引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とするニードルプロテクタ。
【請求項９６】
請求項９５記載のニードルプロテクタにおいて、
前記ニードルハブが、前記ニードルの前記第１状態においては前記ハウジングの対向部分に対して位置合わせされるサイズとされなおかつ前記ニードルの前記第２状態においては前記ニードルから離間されるサイズとされたシュラウドを備え、
さらに、前記ニードル先端を少なくとも包囲するとともに、前記シュラウドの少なくとも一部に対して位置合わせされるシースを具備していることを特徴とするニードルプロテクタ。
【請求項９７】
請求項９５または９６記載のニードルプロテクタにおいて、
前記ニードルハブが、前記ニードルの前記第１状態においては前記ハウジングに対して隣接して配置され、
前記ニードルハブと前記ハウジングとが、協働構造を備え、
この協働構造が、前記ニードルの前記第１状態においては前記ニードルハブと前記ハウジングとを相対回転不可能に保持することを特徴とするニードルプロテクタ。
【請求項９８】
請求項９３〜９７のいずれか１項に記載のニードルプロテクタにおいて、
前記ハウジングが、導入開口と導出開口とを備え、
前記導入開口のエッジと前記導出開口のエッジとが、交差平面を横断しており、
さらに、前記ハウジング内にニードル支持体を具備し、
このニードル支持体が、前記交差平面を横断していることを特徴とするニードルプロテクタ。
【請求項９９】
請求項９８記載のニードルプロテクタにおいて、
前記ニードル支持体が、前記ハウジングに対して固定された突起上に形成されていることを特徴とするニードルプロテクタ。
【請求項１００】
請求項９８または９９記載のニードルプロテクタにおいて、
前記ニードル支持体が、前記ニードルシャフトの一部をスライド的に受領し得るようなサイズとされた座を備えていることを特徴とするニードルプロテクタ。
【請求項１０１】
請求項９８〜１００のいずれか１項に記載のニードルプロテクタにおいて、
前記ニードル支持体と前記クリップの前記第２壁とが、前記クリップの前記第１状態においては、前記交差平面に関して互いに反対側に配置されていることを特徴とするニードルプロテクタ。
【請求項１０２】
請求項９３〜１０１のいずれか１項に記載のニードルプロテクタにおいて、
前記クリップの前記第２壁の前記部分が、スタイラスを形成していることを特徴とするニードルプロテクタ。
【請求項１０３】
請求項９３〜１０２のいずれか１項に記載のニードルプロテクタにおいて、
前記クリップの前記第２壁が、前記クリップの前記第２状態においては前記ニードル先端を閉じ込め得るよう構成されたリップを備えていることを特徴とするニードルプロテクタ。
【請求項１０４】
請求項９３〜１０３のいずれか１項に記載のニードルプロテクタにおいて、
前記ストラットが、前記第１壁に対して９０°未満という形成角度でもって前記クリップの前記第１壁から延出されていることを特徴とするニードルプロテクタ。
【請求項１０５】
請求項９３〜１０４のいずれか１項に記載のニードルプロテクタにおいて、
前記ストラットの前記エッジが、内方エッジであることを特徴とするニードルプロテクタ。
【請求項１０６】
請求項９３〜１０５のいずれか１項に記載のニードルプロテクタにおいて、
前記クリップが、さらに、前記第１壁と前記第２壁とを連結する第２ストラットを備え、
前記スプリング部材が、前記第２ストラットのエッジを超えて延在していることを特徴とするニードルプロテクタ。
【請求項１０７】
請求項１０６記載のニードルプロテクタにおいて、
前記２つのストラットのエッジどうしが協働することにより、それらエッジどうしの間に開口を形成しており、
前記スプリング部材が、その開口を超えて延在していることを特徴とするニードルプロテクタ。
【請求項１０８】
請求項９３〜１０７のいずれか１項に記載のニードルプロテクタにおいて、
前記スプリング部材が、前記クリップの前記第１壁に対して動作可能に関連する第１端部を備えていることを特徴とするニードルプロテクタ。
【請求項１０９】
請求項９３〜１０８のいずれか１項に記載のニードルプロテクタにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とするニードルプロテクタ。
【請求項１１０】
請求項９３〜１０９のいずれか１項に記載のニードルプロテクタにおいて、
前記クリップの前記第１壁が、前記クリップの前記第１状態においては中心を超えて傾斜していることを特徴とするニードルプロテクタ。
【請求項１１１】
ニードルプロテクタであって、
ニードルを貫通させながらこのニードルをスライド的に受領し得るよう構成されたハウジングと；
このハウジング内に配置されたクリップと；
スプリング部材と；
を具備し、
前記クリップが、
このクリップの第１状態においては前記ニードルのニードルシャフトを貫通させつつニードルシャフトをスライド的に受領し得るよう構成された開口であるとともに前記クリップの第２状態においてはこの開口の内部に前記ニードルシャフトを把持し得るよう構成された開口を有した剛直な第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
を備え、
前記ストラットが、前記第１壁に対して９０°未満という形成角度でもって前記クリップの前記第１壁から延出されているとともに、前記形成角度が前記第１状態と前記第２状態との双方において同じとされ、
前記スプリング部材が、前記第１壁に対して連結されたものであって、前記クリップを前記第２状態に向けて付勢していることを特徴とするニードルプロテクタ。
【請求項１１２】
請求項１１１記載のニードルプロテクタにおいて、
さらに、ニードルハブ、および、このニードルハブから延出されたニードルであるとともに尖鋭先端で終端しているニードルシャフトを備えたニードル、を具備し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を前記ハウジングから露出させた第１状態と、
前記ニードル先端が前記クリップの前記第２壁を超える程度にまで前記ハウジング内へと引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とするニードルプロテクタ。
【請求項１１３】
請求項１１２記載のニードルプロテクタにおいて、
前記ニードルハブが、前記ニードルの前記第１状態においては前記ハウジングの対向部分に対して位置合わせされるサイズとされなおかつ前記ニードルの前記第２状態においては前記ニードルから離間されるサイズとされたシュラウドを備え、
さらに、前記ニードル先端を少なくとも包囲するとともに、前記シュラウドの少なくとも一部に対して位置合わせされるシースを具備していることを特徴とするニードルプロテクタ。
【請求項１１４】
請求項１１２または１１３記載のニードルプロテクタにおいて、
前記ニードルハブが、前記ニードルの前記第１状態においては前記ハウジングに対して隣接して配置され、
前記ニードルハブと前記ハウジングとが、協働構造を備え、
この協働構造が、前記ニードルの前記第１状態においては前記ニードルハブと前記ハウジングとを相対回転不可能に保持することを特徴とするニードルプロテクタ。
【請求項１１５】
請求項１１１〜１１４のいずれか１項に記載のニードルプロテクタにおいて、
前記クリップの前記第１壁が、前記クリップの前記第１状態においては中心を超えて傾斜していることを特徴とするニードルプロテクタ。
【請求項１１６】
請求項１１１〜１１５のいずれか１項に記載のニードルプロテクタにおいて、
前記ストラットの前記形成角度が、８３°〜８７°という範囲とされていることを特徴とするニードルプロテクタ。
【請求項１１７】
請求項１１１〜１１６のいずれか１項に記載のニードルプロテクタにおいて、
前記ハウジングが、導入開口と導出開口とを備え、
前記導入開口のエッジと前記導出開口のエッジとが、交差平面を横断しており、
さらに、前記ハウジング内にニードル支持体を具備し、
このニードル支持体が、前記交差平面を横断していることを特徴とするニードルプロテクタ。
【請求項１１８】
請求項１１７記載のニードルプロテクタにおいて、
前記ニードル支持体が、前記ハウジングに対して固定された突起上に形成されていることを特徴とするニードルプロテクタ。
【請求項１１９】
請求項１１７または１１８記載のニードルプロテクタにおいて、
前記ニードル支持体が、前記ニードルシャフトの一部をスライド的に受領し得るようなサイズとされた座を備えていることを特徴とするニードルプロテクタ。
【請求項１２０】
請求項１１７〜１１９のいずれか１項に記載のニードルプロテクタにおいて、
前記ニードル支持体と前記クリップの前記第２壁とが、前記クリップの前記第１状態においては、前記交差平面に関して互いに反対側に配置されていることを特徴とするニードルプロテクタ。
【請求項１２１】
請求項１１７〜１２０のいずれか１項に記載のニードルプロテクタにおいて、
前記クリップの前記第２壁の前記部分が、スタイラスを形成していることを特徴とするニードルプロテクタ。
【請求項１２２】
請求項１１７〜１２１のいずれか１項に記載のニードルプロテクタにおいて、
前記クリップの前記第２壁が、前記クリップの前記第２状態においては前記ニードル先端を閉じ込め得るよう構成されたリップを備えていることを特徴とするニードルプロテクタ。
【請求項１２３】
請求項１１７〜１２２のいずれか１項に記載のニードルプロテクタにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とするニードルプロテクタ。
【請求項１２４】
ニードルプロテクタであって、
導入開口と導出開口とを備えたハウジングであるとともに、前記導入開口のエッジと前記導出開口のエッジとが交差平面を横断しているような、ハウジングと；
このハウジング内に配置されたクリップと；
前記ハウジング内にニードル支持体であるとともに、前記交差平面を横断しているニードル支持体と；
を具備し、
前記クリップが、
このクリップの第１状態においては前記ニードルのニードルシャフトを貫通させつつニードルシャフトをスライド的に受領し得るよう構成された開口であるとともに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
を備えていることを特徴とするニードルプロテクタ。
【請求項１２５】
請求項１２４記載のニードルプロテクタにおいて、
前記ニードル支持体が、前記ハウジングに対して固定された突起上に形成されていることを特徴とするニードルプロテクタ。
【請求項１２６】
請求項１２５記載のニードルプロテクタにおいて、
前記ニードル支持体と前記クリップの前記第２壁とが、前記クリップの前記第１状態においては、前記ニードルシャフトに関して互いに反対側に配置されていることを特徴とするニードルプロテクタ。
【請求項１２７】
請求項１２４〜１２６のいずれか１項に記載のニードルプロテクタにおいて、
前記ニードル支持体が、前記ニードルシャフトの一部をスライド的に受領し得るようなサイズとされた座を備えていることを特徴とするニードルプロテクタ。
【請求項１２８】
請求項１２４〜１２７のいずれか１項に記載のニードルプロテクタにおいて、
前記ニードル支持体と前記クリップの前記第２壁とが、前記クリップの前記第１状態においては、前記交差平面に関して互いに反対側に配置されていることを特徴とするニードルプロテクタ。
【請求項１２９】
請求項１２４〜１２８のいずれか１項に記載のニードルプロテクタにおいて、
前記ニードル支持体が、前記クリップの前記第２状態においては、前記第１壁と前記第２壁との間に配置されていることを特徴とするニードルプロテクタ。
【請求項１３０】
請求項１２５記載のニードルプロテクタにおいて、
さらに、前記突起の撓みを制限し得るよう構成された撓み制限リブを具備していることを特徴とするニードルプロテクタ。
【請求項１３１】
請求項１３０記載のニードルプロテクタにおいて、
前記撓み制限リブが、前記突起と関連していることを特徴とするニードルプロテクタ。
【請求項１３２】
請求項１２４〜１２９のいずれか１項に記載のニードルプロテクタにおいて、
さらに、前記ニードル支持体と関連した撓み制限リブを具備していることを特徴とするニードルプロテクタ。
【請求項１３３】
請求項１２４〜１２９のいずれか１項に記載のニードルプロテクタにおいて、
さらに、前記ハウジングと関連した撓み制限リブを具備していることを特徴とするニードルプロテクタ。
【請求項１３４】
請求項１２４〜１３３のいずれか１項に記載のニードルプロテクタにおいて、
さらに、ニードルハブ、および、このニードルハブから延出されたニードルであるとともに尖鋭先端で終端しているニードルシャフトを備えたニードル、を具備し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を前記ハウジングから露出させた第１状態と、
前記ニードル先端が前記クリップの前記第２壁を超える程度にまで前記ハウジング内へと引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とするニードルプロテクタ。
【請求項１３５】
請求項１３４記載のニードルプロテクタにおいて、
前記ニードルハブが、前記ニードルの前記第１状態においては前記ハウジングの対向部分に対して位置合わせされるサイズとされなおかつ前記ニードルの前記第２状態においては前記ニードルから離間されるサイズとされたシュラウドを備え、
さらに、前記ニードル先端を少なくとも包囲するとともに、前記シュラウドの少なくとも一部に対して位置合わせされるシースを具備していることを特徴とするニードルプロテクタ。
【請求項１３６】
請求項１３４または１３５記載のニードルプロテクタにおいて、
前記ニードルハブが、前記ニードルの前記第１状態においては前記ハウジングに対して隣接して配置され、
前記ニードルハブと前記ハウジングとが、協働構造を備え、
この協働構造が、前記ニードルの前記第１状態においては前記ニードルハブと前記ハウジングとを相対回転不可能に保持することを特徴とするニードルプロテクタ。
【請求項１３７】
請求項１２４〜１３６のいずれか１項に記載のニードルプロテクタにおいて、
前記クリップの前記第２壁の前記部分が、スタイラスを形成していることを特徴とするニードルプロテクタ。
【請求項１３８】
請求項１２４〜１３７のいずれか１項に記載のニードルプロテクタにおいて、
前記クリップの前記第２壁が、前記クリップの前記第２状態においては前記ニードル先端を閉じ込め得るよう構成されたリップを備えていることを特徴とするニードルプロテクタ。
【請求項１３９】
請求項１２４〜１３８のいずれか１項に記載のニードルプロテクタにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とするニードルプロテクタ。
【請求項１４０】
請求項１２４〜１３８のいずれか１項に記載のニードルプロテクタにおいて、
さらに、前記ハウジング内にスプリング部材を具備し、
このスプリング部材が、前記クリップを前記第２状態に向けて付勢していることを特徴とするニードルプロテクタ。
【請求項１４１】
ニードルプロテクタであって、
ニードルを貫通させながらこのニードルをスライド的に受領し得るよう構成されたハウジングと；
このハウジング内に配置されたクリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においては前記ニードルシャフトを把持し得るよう構成された開口を有した剛直な第１壁と、
前記第１状態においては前記ニードルシャフトに対して当接し得るよう構成されているとともに前記第２状態においては前記ニードルの先端に対向し得るよう構成された第２壁と、
前記第１壁と前記第２壁とを連結しているストラットと、
を備え、
前記第２壁が、前記第１壁に対して全体的に平行とされかつ前記第１壁からは離間して配置されているとともに、全体的にＬ字形状とされていて、その自由端のところに一体型のリップを形成し、
前記リップが、前記クリップの前記第２状態においては前記ニードル先端を閉じ込めるよう機能し、
前記スプリング部材が、前記クリップを前記第２状態に向けて付勢していることを特徴とするニードルプロテクタ。
【請求項１４２】
請求項１４１記載のニードルプロテクタにおいて、
前記リップが、前記第１壁へと向かう向きに延出されていることを特徴とするニードルプロテクタ。
【請求項１４３】
請求項１４１または１４２記載のニードルプロテクタにおいて、
前記リップが、前記クリップの前記第１状態においては前記ニードルシャフトの長手方向軸線に関する一側方に位置しており、前記クリップの前記第２状態においては前記長手方向軸線に関する他の側方に位置していることを特徴とするニードルプロテクタ。
【請求項１４４】
請求項１４１〜１４３のいずれか１項に記載のニードルプロテクタにおいて、
さらに、ニードルハブ、および、このニードルハブから延出されたニードルであるとともに尖鋭先端で終端しているニードルシャフトを備えたニードル、を具備し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を前記ハウジングから露出させた第１状態と、
前記ニードル先端が前記クリップの前記第２壁を超える程度にまで前記ハウジング内へと引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とするニードルプロテクタ。
【請求項１４５】
請求項１４４記載のニードルプロテクタにおいて、
前記ニードルハブが、前記ニードルの前記第１状態においては前記ハウジングの対向部分に対して位置合わせされるサイズとされなおかつ前記ニードルの前記第２状態においては前記ニードルから離間されるサイズとされたシュラウドを備え、
さらに、前記ニードル先端を少なくとも包囲するとともに、前記シュラウドの少なくとも一部に対して位置合わせされるシースを具備していることを特徴とするニードルプロテクタ。
【請求項１４６】
請求項１４４または１４５記載のニードルプロテクタにおいて、
前記ニードルハブが、前記ニードルの前記第１状態においては前記ハウジングに対して隣接して配置され、
前記ニードルハブと前記ハウジングとが、協働構造を備え、
この協働構造が、前記ニードルの前記第１状態においては前記ニードルハブと前記ハウジングとを相対回転不可能に保持することを特徴とするニードルプロテクタ。
【請求項１４７】
請求項１４１〜１４６のいずれか１項に記載のニードルプロテクタにおいて、
前記クリップの前記第２壁の前記リップが、スタイラスを備えていることを特徴とするニードルプロテクタ。
【請求項１４８】
請求項１４１〜１４７のいずれか１項に記載のニードルプロテクタにおいて、
さらに、棚を具備し、
前記クリップが、さらに、ヒールを備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっていることを特徴とするニードルプロテクタ。
【請求項１４９】
ニードルプロテクタであって、
ニードルハブ、および、このニードルハブから延出されたニードルであるとともに尖鋭先端で終端しているニードルシャフトを備えたニードルと；
ニードルガードであるとともに、このニードルガードによって前記ニードル先端が保護されていないニードル第１状態とこのニードルガードによって前記ニードル先端が保護されているニードル第２状態との間にわたってこのニードルガードに対して前記ニードルを移行させ得るものとされたニードルガードと；
前記ニードルハブに関連して設けられた分離型のシュラウドであるとともに、前記ニードル第１状態においては前記ニードルガードの対向部分に対して位置合わせされなおかつ前記ニードルガードの操作部分を露出させるサイズとされなおかつ前記ニードル第２状態においては前記ニードルガードから離間される分離型のシュラウドと；
少なくとも前記ニードル先端を囲んでいるとともに、前記分離型のシュラウドの少なくとも一部に対して位置合わせされるシースと；
を具備していることを特徴とするニードルプロテクタ。
【請求項１５０】
請求項１４９記載のニードルプロテクタにおいて、
前記分離型のシュラウドが、前記ニードル第１状態においては前記ニードルガードに対して摩擦係合していることを特徴とするニードルプロテクタ。
【請求項１５１】
請求項１４９または１５０記載のニードルプロテクタにおいて、
前記露出された操作部分が、フィンガータブを備えていることを特徴とするニードルプロテクタ。
【請求項１５２】
請求項１４９〜１５１のいずれか１項に記載のニードルプロテクタにおいて、
前記分離型のシュラウドが、一対をなす対向壁セグメントによって形成されていることを特徴とするニードルプロテクタ。
【請求項１５３】
請求項１５２記載のニードルプロテクタにおいて、
前記対向壁セグメントが、円弧形状とされていることを特徴とするニードルプロテクタ。
【請求項１５４】
請求項１４９〜１５３のいずれか１項に記載のニードルプロテクタにおいて、
前記ニードルガードが、前記ニードル先端を保護し得る機能部材を備えていることを特徴とするニードルプロテクタ。
【請求項１５５】
請求項１５４記載のニードルプロテクタにおいて、
前記ニードルガードが、前記ニードルを貫通させながら前記ニードルをスライド的に受領し得るよう構成されたハウジングを備え、
前記機能部材が、前記ハウジングの内部に収容されていることを特徴とするニードルプロテクタ。
【請求項１５６】
請求項１４９〜１５３のいずれか１項に記載のニードルプロテクタにおいて、
前記ニードルガードが、前記ニードルを貫通させながら前記ニードルをスライド的に受領し得るよう構成されたハウジングを備え、
前記分離型のシュラウドが、前記ニードル第１状態においては前記ハウジングの対向部分に対して位置合わせされなおかつ前記ハウジングの操作部分を露出させなおかつ前記ニードル第２状態においては前記ハウジングから離間されることを特徴とするニードルプロテクタ。
【請求項１５７】
請求項１４９〜１５６のいずれか１項に記載のニードルプロテクタにおいて、
前記ニードルハブが、フラッシュバックチャンバを形成していることを特徴とするニードルプロテクタ。
【請求項１５８】
ニードルプロテクタであって、
ハウジングと；
このハウジングの内部に配置された棚と；
前記ハウジングの内部に配置されたクリップと；
スプリング部材と；
を具備し、
前記クリップが、
このクリップの第１状態においては前記ニードルシャフトを貫通させつつ前記ニードルシャフトをスライド的に受領し得るよう構成された開口であるとともに前記クリップの第２状態においては前記ニードルシャフトを把持し得るよう構成された開口を有した第１壁と、
前記第１状態においては前記ニードルシャフトに対して当接し得るよう構成された部分であるとともに前記第２状態においては前記ニードルの先端に対向し得るよう構成された部分を有した第２壁と、
前記第１壁と前記第２壁とを連結しているストラットと、
前記第１壁から延出されたヒールと、
を備え、
前記第１壁と前記ヒールとが、前記ストラットに関して互いに反対側に配置され、
前記クリップの前記第１状態においては、前記ヒールが、前記棚に対して当接しており、
前記クリップが前記第１状態から前記第２状態へと移行する際には、前記ヒールが、前記棚まわりに回転するようになっており、
前記スプリング部材が、前記クリップを前記第２状態に向けて付勢していることを特徴とするニードルプロテクタ。
【請求項１５９】
請求項１５８記載のニードルプロテクタにおいて、
さらに、ニードルハブ、および、このニードルハブから延出されたニードルであるとともに尖鋭先端で終端しているニードルシャフトを備えたニードル、を具備し、
前記ニードルが、
前記クリップの前記第１状態において、前記クリップの前記第１壁の前記開口を通してスライド的に受領されておりなおかつ前記クリップの前記第２壁の前記部分に対して当接しておりさらに前記尖鋭先端を前記ハウジングから露出させた第１状態と、
前記ニードル先端が前記クリップの前記第２壁を超える程度にまで前記ハウジング内へと引っ込められ、これにより、前記クリップがその前記第２状態へと移行して、前記先端が前記クリップの前記第２壁によってブロックされた状態で前記ニードルシャフトが把持されたような第２状態と、
を備えていることを特徴とするニードルプロテクタ。
【請求項１６０】
請求項１５８または１５９記載のニードルプロテクタにおいて、
前記棚が、前記ハウジングと一体部材とされていることを特徴とするニードルプロテクタ。
【請求項１６１】
請求項９３〜１２３のいずれか１項に記載の、または、請求項１４０〜１４８のいずれか１項に記載の、または、請求項１５８〜１６０のいずれか１項に記載のニードルプロテクタにおいて、
前記スプリング部材が、リーフスプリングであることを特徴とするニードルプロテクタ。
【請求項１６２】
請求項１５４または１５５記載のニードルプロテクタにおいて、
前記機能部材が、リーフスプリングであることを特徴とするニードルプロテクタ。
【請求項１６３】
ニードルガードクリップであって、
貫通形成されたニードル通路を備えた第１壁と；
この第１壁に対向しつつこの第１壁から離間して配置された全体的に平行な第２壁と；
前記第１壁と前記第２壁とを相互連結している一対をなすストラットと；
を具備し、
前記一対をなすストラットの間に、開口が形成され、
前記第１壁と前記第２壁とが、前記一対をなすストラットから同じ向きに延出されていることを特徴とするニードルガードクリップ。
【請求項１６４】
請求項１６３記載のニードルガードクリップにおいて、
前記第１壁と前記第２壁と前記一対をなすストラットとが、一体部材とされていることを特徴とするニードルガードクリップ。
【請求項１６５】
請求項１６３記載のニードルガードクリップにおいて、
さらに、前記第１壁から延出されたヒールを具備していることを特徴とするニードルガードクリップ。
【請求項１６６】
請求項１６５記載のニードルガードクリップにおいて、
前記第１壁と前記第２壁と前記一対をなすストラットと前記ヒールとが、一体部材とされていることを特徴とするニードルガードクリップ。
【請求項１６７】
請求項１６２〜１６６のいずれか１項に記載のニードルガードクリップにおいて、
前記開口が、全体的に矩形とされていることを特徴とするニードルガードクリップ。
【請求項１６８】
請求項１６２〜１６のいずれか１項に記載のニードルガードクリップにおいて、
前記第２壁が、スタイラスを形成していることを特徴とするニードルガードクリップ。
【請求項１６９】
請求項１６２〜１６８のいずれか１項に記載のニードルガードクリップにおいて、
前記第２壁が、その自由端のところにリップを形成していることを特徴とするニードルガードクリップ。
【請求項１７０】
請求項１６２〜１６９のいずれか１項に記載のニードルガードクリップにおいて、
前記ストラットと前記第１壁とが、これらストラットと第１壁との間に、９０°未満という形成角度を形成していることを特徴とするニードルガードクリップ。
【請求項１７１】
請求項１７０記載のニードルガードクリップにおいて、
前記形成角度が、８３°〜８７°という範囲とされていることを特徴とするニードルガードクリップ。
【請求項１７２】
請求項１６２〜１７１のいずれか１項に記載のニードルガードクリップにおいて、
さらに、スプリング部材を具備し、
このスプリング部材が、前記第１壁に対して動作可能に関連しているとともに、前記開口を通して延在する部分を備えていることを特徴とするニードルガードクリップ。
【請求項１７３】
請求項１７２記載のニードルガードクリップにおいて、
前記スプリング部材が、リーフスプリングであることを特徴とするニードルガードクリップ。
【請求項１７４】
請求項５６記載の安全カテーテルデバイスにおいて、
前記ニードルの前記第２状態においては、前記ニードルハブが、前記ニードルガードから離間していることを特徴とする安全カテーテルデバイス。
【請求項１７５】
請求項１４９記載の安全カテーテルデバイスにおいて、
前記ニードルの前記第２状態においては、前記ニードルハブが、前記ニードルガードから離間していることを特徴とする安全カテーテルデバイス。
【請求項１７６】
請求項９２記載の方法において、
内向きに突出する前記内部リッジを、軸方向に配置して、前記連結部材の基端部と先端部との間に配置することを特徴とする方法。
【請求項１７７】
請求項９２または１７６記載の方法において、
内向きに突出する前記内部リッジを、前記円弧形横断面形状の連結部材の内壁から離間した側方エッジを有したものとすることを特徴とする方法。